【手続補正書】
【提出日】平成16年2月16日(2004.2.16)
【手続補正１】
【補正対象書類名】明細書
【補正対象項目名】全文
【補正方法】変更
【補正の内容】
【発明の名称】空気調和機
【特許請求の範囲】
【請求項１】本体に吸込口と吹出口とを設け、前記吸込口と前記吹出口とを結ぶ空気通路に前部熱交換器と後部熱交換器とからなる逆Ｖ字状の熱交換器と、同熱交換器により熱交換された空気を前記吹出口から室内に送出する送風ファンとを設けてなる空気調和機において、
前記前部熱交換器の上端と前記後部熱交換器の上端とを離間して、同離間部に、前記吸込口から吸込まれた空気の一部が流入する流入口と同流入口から流入した空気が流出する流出口とを夫々離間して形成した導風路と、同導風路内に収納した紫外線ランプとからなるＵＶユニットを配置してなることを特徴とする空気調和機。
【請求項２】前記熱交換器の両側に設けられた側板間に前記ＵＶユニットを設けてなることを特徴とする請求項１に記載の空気調和機。
【請求項３】前記ＵＶユニットの上面に前記流入口を設け、同ＵＶユニット内を通過する空気が前記熱交換器を通過する位置に前記流出口を設けてなることを特徴とする請求項１に記載の空気調和機。
【請求項４】前記流出口を前記熱交換器の側面に対向する前記ＵＶユニットの側面に設けてなることを特徴とする請求項３に記載の空気調和機。
【請求項５】前記紫外線ランプは、空気中に浮遊する浮遊菌を殺菌できる波長が２５０〜２６０ｎｍ帯域の紫外線と、空気中に漂う臭気成分を分解して脱臭を行うオゾンを生成する、波長が１００〜２２０ｎｍ帯域の紫外線とを併せて放射してなることを特徴とする請求項１に記載の空気調和機。
【請求項６】本体に吸込口と吹出口とを設け、前記吸込口と前記吹出口とを結ぶ空気通路に前部熱交換器と後部熱交換器とからなる逆Ｖ字状の熱交換器と、同熱交換器により熱交換された空気を前記吹出口から室内に送出する送風ファンとを設けてなる空気調和機において、
前記前部熱交換器の上端と前記後部熱交換器の上端とを離間して、同離間部に、上面に前記吸込口から吸込まれた空気の一部が流入する流入口を、側面に前記前部熱交換器と前記後部熱交換器との側面に対向した流出口を夫々形成した導風路を形成する一方、同導風路内に紫外線ランプを収納してなることを特徴とする空気調和機。
【発明の詳細な説明】
【０００１】
【発明の属する技術分野】
本発明は、空気調和機に係わり、より詳細には、吸込口から吹出口に至る空気通路に脱臭作用と殺菌作用とを兼ねた導風路を設けた構造に関する。
【０００２】
【従来の技術】
従来の空気調和機において、吸込口から吹出口に至る空気通路に脱臭機能を設けた一例として、例えば特開平１−１６９２４７号に開示されているように、熱交換器の前面にオゾンを発生する脱臭装置を設けた例が挙げられる。図４（Ａ）で示す空気調和機は、本体の前面に前面吸込口３０を、上面に上面吸込口３１を、前面下部に吹出口３２を夫々設け、前記前面吸込口３０及び前記上面吸込口３１と前記吹出口３２とを結ぶ空気通路に、後方に傾斜した熱交換器３３と、同熱交換器３３で熱交換された空気を室内に送出する送風ファン３４とを備えるとともに、前記前面吸込口３０及び前記上面吸込口３１の裏面に、吸込まれた空気に含有される塵埃を除去するフィルタ３５を設け、前記熱交換器３３の前面に脱臭装置３６を設けている。
【０００３】
前記脱臭装置３６は、図４（Ｂ）で示すように、高電圧発生器を収納した収納部３６ａと、放電極板を収納した収納部３６ｂとからなり、同収納部３６ｂから前記フィルタ３５を通過し塵埃を除去された空気に対しオゾンを放出し、その酸化力により脱臭作用を行っていた。
【０００４】
しかしながら近年、脱臭作用のみならず、空気中に浮遊する空中浮遊菌を殺菌して、より清浄な空気を室内機に送出することができるとともに、停止中に本体の内壁や熱交換器の表面に付着した雑菌を殺菌することのできる空気調和機が求められていた。
【０００５】
【発明が解決しようとする課題】
本発明は上記問題点に鑑み、吸込まれた空気中に含まれる臭気成分を除去する一方、空気中に浮遊する空中浮遊菌を殺菌することのできる空気調和機を提供することを目的とする。
【０００６】
【課題を解決するための手段】
本発明は、上記問題点を解決するため、本体に吸込口と吹出口とを設け、前記吸込口と前記吹出口とを結ぶ空気通路に前部熱交換器と後部熱交換器とからなる逆Ｖ字状の熱交換器と、同熱交換器により熱交換された空気を前記吹出口から室内に送出する送風ファンとを設けてなる空気調和機において、
前記前部熱交換器の上端と前記後部熱交換器の上端とを離間して、同離間部に、前記吸込口から吸込まれた空気の一部が流入する流入口と同流入口から流入した空気が流出する流出口とを夫々離間して形成した導風路と、同導風路内に収納した紫外線ランプとからなるＵＶユニットを配置する。
【０００７】
また、前記熱交換器の両側に設けられた側板間に前記ＵＶユニットを設ける。
【０００８】
また、前記ＵＶユニットの上面に前記流入口を設け、同ＵＶユニット内を通過する空気が前記熱交換器を通過する位置に前記流出口を設ける。
【０００９】
または、前記流出口を前記熱交換器の上面に対峙する前記ＵＶユニットの下面に設ける。
【００１０】
また、前記紫外線ランプは、空気中に浮遊する浮遊菌を殺菌できる波長が２５０〜２６０ｎｍ帯域の紫外線と、空気中に漂う臭気成分を分解して脱臭を行うオゾンを生成する、波長が１００〜２２０ｎｍ帯域の紫外線とを併せて放射してなる構造とする。
【００１１】
もしくは、本体に吸込口と吹出口とを設け、前記吸込口と前記吹出口とを結ぶ空気通路に前部熱交換器と後部熱交換器とからなる逆Ｖ字状の熱交換器と、同熱交換器により熱交換された空気を前記吹出口から室内に送出する送風ファンとを設けてなる空気調和機において、
前記前部熱交換器の上端と前記後部熱交換器の上端とを離間して、同離間部に、上面に前記吸込口から吸込まれた空気の一部が流入する流入口を、側面に前記前部熱交換器と前記後部熱交換器との側面に対向した流出口を夫々形成した導風路を形成する一方、同導風路内に紫外線ランプを収納する。
【００１２】
【発明の実施の形態】
以下、本発明の実施の形態を、添付図面に基づいた実施例として詳細に説明する。
図１は本発明による空気調和機を示す断面図であり、図２はその要部斜視図である。また図３はＵＶユニットを示す断面図である。
本発明による空気調和機は、図１で示すように、本体の前面上部に前面吸込口１を、上面に上面吸込口２を、前面下部に吹出口３を夫々設けるとともに、前記前面吸込口１及び前記上面吸込口２と前記吹出口３とを結ぶ空気通路に、垂直部部４ａと、同垂直部４ａの上端を折曲して後方に傾斜させた後方傾斜部４ｂとからなる前部熱交換器と、前方に傾斜して設けられ上端を前記後方傾斜部４ｂの上端と離間させた後部熱交換器４ｃとから構成された熱交換器４を設け、同熱交換器４の下流側に熱交換された空気を前記吹出口３から室内に送出する送風ファン５を設けている。また前記前部熱交換器と前記後部熱交換器４ｃとの上端の離間された離間部には紫外線ランプ７を内部に収納したＵＶユニット６が設けられている。
【００１３】
前記熱交換器４は、図２で示すように、平行して並べられた熱伝導性を有する多数のフィン９と、同フィン９に直交して蛇行状に配設された伝熱管とからなり、同伝熱管の両端部はＵ字管１０により夫々接続されている。前記フィン９の両側には鋼板からなり前記伝熱管が挿通する挿通孔を上下に穿設した側板８が設けられ、前記後方傾斜部４ｂと前記前方傾斜部４ｃとの側板上端は、折曲しながら上方に延出されるとともに離間部の中央で連結されている。
【００１４】
前記後方傾斜部４ｂと前記後部熱交換器４ｃの両側に設けられた前記側板８の間には、箱体状に形成され、吸込まれた空気の一部の導風路となるＵＶユニット６がネジ１１により固着されており、同ＵＶユニット６は図３の断面図で示すように、鋼板からなる箱体の内壁一側に、円錐状に形成された反射鏡板７ａを背面側に装着した紫外線ランプ７を設けている。同紫外線ランプ７は空中に浮遊する浮遊菌を殺菌することのできる波長が２５０〜２６０ｎｍ（ナノメートル）帯域の紫外線を放射できるとともに、空気中にオゾンを生成することのできる波長が１００〜２２０ｎｍ帯域の紫外線を併せて放射できるようになっており、波長が１００〜２２０ｎｍ帯域の紫外線により空気中に生成されたオゾンは、空気中に含まれる臭気成分を酸化分解し脱臭を行うようになっている。
【００１５】
前記ＵＶユニット６の箱体上面には、前記紫外線ランプ７に対向する側に切り起こしによる複数の流入口６ａが形成され、箱体側面には前記紫外線ランプ７側に位置する一方、前記後方傾斜部４ｂの上面と、前記後部熱交換器４ｃの側面とに対向するように穿設された一対の流出口６ｂが設けられており、前記ＵＶユニット６を通過する空気は、必ず熱交換器４を通過するため、前記ＵＶユニット６を離間部に配置しても、熱交換効率を低下させることがない。
また箱体の内壁面はアルミニウムあるいは、アルミニウムと亜鉛とが混合されたメッキ液によりメッキ処理されており、前記紫外線ランプ７から放射された紫外線を効率よく反射するようになっており、また、混合されたアルミニウムにより所謂サビに対する耐蝕性が通常の所謂亜鉛メッキ鋼板より長期間維持できるようになっている。しかしながらこれは限定されるものでなく、前記箱体の材質としてステンレス鋼板あるいはクロームメッキ鋼板を使用することもできる。
【００１６】
前記ＵＶユニット６は前述したように、前記前部熱交換器と前記後部熱交換器４ｃとの上端の離間された離間部と熱交換器４の側板８とで囲まれる、空気調和機の長手方向の位置に配置されており、細長で広いスペースを前記ＵＶユニット６の殺菌空間として利用している。
【００１７】
本体の前記上面吸込口２から吸込まれた室内空気の一部は、図３の矢印で示すように、前記ＵＶユニット６の一方の端付近に備えられた前記流入口６ａから左右に細長い前記ＵＶユニット６に吸込まれ、この細長い空間内を通過する比較的長時間、前記紫外線ランプ７から放射される殺菌を行う帯域の紫外線と、オゾンを生成する帯域の紫外線とにより殺菌処理と脱臭処理とが行われた後、前記ＵＶユニット６の他方の端付近に備えられた前記流出口６ｂから前記後方傾斜部４ｂと前記後部熱交換器４ｃとを通過するように吹き出され、これらの熱交換器で熱交換された後、前記送風ファン５により前記吹出口３から室内に送出されるようになっている。
このように前記ＵＶユニット６を通過する空気は、従来例と比べて比較的長時間、紫外線を照射されるため殺菌、消臭効果が高く、また、必ず熱交換器４を通過するため、前記ＵＶユニット６を離間部に配置しても、熱交換効率を低下させることがない。
【００１８】
上記したＵＶユニット６による殺菌処理と脱臭処理とが繰り返して行われることにより、前記本体を循環する室内の空気は次第に清浄化され、快適な環境を提供できるようになっている。
【００１９】
また、前記ＵＶユニット６の下面に形成された前記流出口６ｂが前記紫外線ランプ７の近傍であることにより、同紫外線ランプ７からの紫外線が前記流出口６ｂを介して前記熱交換器４の内壁面あるいは前記送風ファン５の上面側を照射できるようになっている。空気調和機が一定期間運転を停止し、停止期間中に前記熱交換器４の壁面あるいは送風ファン５の表面にカビ及び浮遊菌が付着したとしても、運転開始前に所定時間、前記紫外線ランプ７による紫外線の照射を行うことにより、これらの殺菌を行うことができ、運転開始時には清浄な空気を室内に送出できるようになっている。
【００２０】
また、前記ＵＶユニット６の箱体下面は、図３で示すように、前記紫外線ランプ７が取付けられた側壁側から対向する側壁側に向かい、下方に若干傾斜した傾斜面に形成され、対向した側壁下端にはキャップを備えた水抜孔６ｃが設けられている。近年、洗浄剤等を用いて本体内の清掃を行う場合があり、その際、前記ＵＶユニット６内に水が侵入したとしても、前記水抜孔６ｃが設けられていることにより、前記ＵＶユニット６から容易に水を排出することができるようになっている。
【００２１】
【発明の効果】
以上説明したように、本発明によると、熱交換器を構成する前部熱交換器と、後部熱交換器との上端を離間し、同離間部に紫外線ランプを箱体内に収納したＵＶユニットを設け、前記紫外線ランプから空気中に浮遊する浮遊菌の殺菌と、脱臭とを行う帯域の紫外線を吸込まれた空気に対し放射することにより、より清浄な空気を室内に送出する空気調和機とすることができる。
【図面の簡単な説明】
【図１】本発明による空気調和機を示す断面図である。
【図２】熱交換器と、同熱交換器に取付けられたＵＶユニットを示す斜視図である。
【図３】ＵＶユニットの断面図である。
【図４】従来例を示す断面図及び要部斜視図である。
【符号の説明】
１  前面吸込口
２  上面吸込口
３  吹出口
４  熱交換器
４ａ  垂直部
４ｂ  後方傾斜部
４ｃ  後部熱交換器
５  送風ファン
６  ＵＶユニット
６ａ  流入口
６ｂ  流出口
６ｃ  水抜孔
７  紫外線ランプ
７ａ  反射鏡板
８  側板
９  フィン
１０  Ｕ字管
１１  ネジ